(57)【特許請求の範囲】
【請求項１】
蒸気乾燥器の外周面に水平方向に延在するように固設され、前記蒸気乾燥器を内包する原子炉圧力容器の内周面に水平方向に複数並べて設置された支持ブラケットによって下方から支持されるサポートリングと、
前記サポートリングを支持した状態における前記支持ブラケットの周方向両側に隣接する位置に、前記サポートリングの下側から半径方向外側に突出するように前記サポートリングに固設された２つの耐震ブロックとを備え、
前記耐震ブロックは、前記支持ブラケットの上面位置における水平方向のせん断面積を増加させる補強部材を備えたことを特徴とする沸騰水型原子炉の蒸気乾燥器。
【請求項２】
蒸気乾燥器の外周面に水平方向に延在するように固設され、前記蒸気乾燥器を内包する原子炉圧力容器の内周面に水平方向に複数並べて設置された支持ブラケットによって下方から支持されるサポートリングと、
前記サポートリングを支持した状態における前記支持ブラケットの周方向両側に隣接する位置に、前記サポートリングの下側から半径方向外側に突出するように前記サポートリングに固設された２つの耐震ブロックとを備え、
前記耐震ブロックは、前記蒸気乾燥器に作用する水平方向の力の前記サポートリングから前記支持ブラケットへの伝達経路となる補強部材を備えたことを特徴とする沸騰水型原子炉の蒸気乾燥器。
【請求項３】
請求項１又は２に記載の沸騰水型原子炉の蒸気乾燥器において、
前記補強部材は、前記サポートリングの側面に固設されており、前記サポートリングの側面から前記支持ブラケットの両側面の位置まで延在するように一体的に形成されることを特徴とする沸騰水型原子炉の蒸気乾燥器。
【請求項４】
請求項３記載の沸騰水型原子炉の蒸気乾燥器において、
前記補強部材と前記耐震ブロックの前記サポートリングにおける半径方向外側の端面とが固設されていることを特徴とする沸騰水型原子炉の蒸気乾燥器。
【請求項５】
請求項１又は２に記載の沸騰水型原子炉の蒸気乾燥器において、
前記補強部材は、前記サポートリングの側面に固設されており、前記サポートリングの側面から前記２つの耐震ブロックのそれぞれにおける前記支持ブラケットとは反対側の側面の位置まで延在するように一体的に形成されることを特徴とする沸騰水型原子炉の蒸気乾燥器。
【請求項６】
請求項１又は２に記載の沸騰水型原子炉の蒸気乾燥器において、
前記補強部材は、前記２つの耐震ブロックのそれぞれにおける前記支持ブラケットとは反対側の側面に隣接する位置に、前記サポートリングの下側から半径方向外側に突出するように前記サポートリングに固設されることを特徴とする沸騰水型原子炉の蒸気乾燥器。
【請求項７】
請求項１又は２に記載の沸騰水型原子炉の蒸気乾燥器において、
前記補強部材は、前記サポートリングの側面に固設されており、前記サポートリングの側面から前記２つの耐震ブロックのそれぞれにおける前記支持ブラケットとは反対側の側面の位置まで延在するようにそれぞれ形成されることを特徴とする沸騰水型原子炉の蒸気乾燥器。
【請求項８】
請求項１又は２に記載の沸騰水型原子炉の蒸気乾燥器において、
前記補強部材は、前記２つの耐震ブロックの上面間に跨るように配置され、前記２つの耐震ブロックの上面および前記サポートリングの側面とそれぞれ固設されることを特徴とする沸騰水型原子炉の蒸気乾燥器。
【請求項９】
蒸気乾燥器の外周面に水平方向に延在するように固設され、前記蒸気乾燥器を内包する原子炉圧力容器の内周面に水平方向に複数並べて設置された支持ブラケットによって下方から支持されるサポートリングと、前記サポートリングを支持した状態において前記支持ブラケットの周方向両側に隣接する位置に、前記サポートリングの下側から半径方向外側に突出するように前記サポートリングに固設された２つの耐震ブロックとを備えた沸騰水型原子炉の耐震ブロックの補強方法において、前記支持ブラケットの上面位置における水平方向のせん断面積を増加させるように補強部材を配置することを特徴とする沸騰水型原子炉の蒸気乾燥器の耐震ブロックの補強方法。
【発明の詳細な説明】
【技術分野】
【０００１】
本発明は、沸騰水型原子炉の蒸気乾燥器、及びその蒸気乾燥器の耐震ブロックの補強方法に関する。
【背景技術】
【０００２】
沸騰水型原子炉では、原子炉圧力容器内に配置された複数の燃料集合体からなる炉心での核反応により原子炉冷却水の一部が加熱され、原子炉冷却水と蒸気との気液二層流が炉心上方に配置された気水分離器によって原子炉冷却水と蒸気とに分離される。気水分離器で分離された蒸気は、気水分離器の上方に配置された蒸気乾燥器に導かれて蒸気に含まれる水分が除去される。
【０００３】
この蒸気乾燥器の外周にはサポートリングが設けられており、原子炉圧力容器の内面に設けられた複数の支持ブラケットでサポートリングが支持されることによって蒸気乾燥器は原子炉圧力容器内部に設置されている。
【０００４】
蒸気乾燥器のサポートリングには、地震時に蒸気乾燥器に作用する水平方向荷重を支持する耐震ブロックが設けられている。このような耐震ブロックに関する技術として、例えば、特許文献１（特開２０１３−１１３７５４号公報）には、原子炉圧力容器と、前記原子炉圧力容器内に配置されている炉心の上方に配置された蒸気乾燥器とを備え、前記蒸気乾燥器が複数の耐震ブロックを前記原子炉圧力容器の周方向に間隔をおいて外面に取り付けたサポートリングを有し、下方に向かって開放される切欠き部がそれぞれの前記耐震ブロックに形成され、前記原子炉圧力容器の半径方向に伸びて下方に向かって開放される複数の溝が、前記原子炉圧力容器の周方向において、前記サポートリングに形成され、前記溝が前記原子炉圧力容器の半径方向において前記切欠き部につながっており、複数の支持ブラケットが前記原子炉圧力容器の内面に設けられ、前記支持ブラケットが、つながった前記溝及び前記切欠き部内に嵌め込まれて前記蒸気乾燥器を支持している沸騰水型原子炉が開示されている。
【先行技術文献】
【特許文献】
【０００５】
【特許文献１】特開２０１３−１１３７５４号公報
【発明の概要】
【発明が解決しようとする課題】
【０００６】
ところで、耐震強度向上の要求に応えて沸騰水型原子炉におけるサポートリングの耐震ブロックに関する作業を行う場合、運転を経験した原子炉圧力容器内に設けられた蒸気乾燥器は放射化しており作業者が大気中で蒸気乾燥器に接近して作業を行うことは出来ないため、原子炉圧力容器内から取り出した蒸気乾燥器を水を張った機器仮置きプール内に沈めて水中で作業をする必要がある。
【０００７】
したがって、サポートリングに設けられている耐震ブロックの取り外しを伴う交換作業や、サポートリングの加工作業のような複雑で大掛かりな作業を行う必要がある場合には、それらの作業を水中で行うことになり、作業工数の増加を招くという問題がある。また、水中で作業を行う場合であっても、放射化した蒸気乾燥器の近くで作業者が長時間の作業を行うことは困難であり、作業工数のさらなる増加が懸念される。
【０００８】
本発明は上記に鑑みてなされたものであり、蒸気乾燥器のサポートリングの耐震ブロックを容易に補強することができ、容易に耐震性を向上することができる耐震ブロックの補強方法および蒸気乾燥器を提供することを目的とする。
【課題を解決するための手段】
【０００９】
上記目的を達成するために、本発明は、蒸気乾燥器の外周面に水平方向に延在するように固設され、前記蒸気乾燥器を内包する原子炉圧力容器の内周面に水平方向に複数並べて設置された支持ブラケットによって下方から支持されるサポートリングと、前記サポートリングを支持した状態における前記支持ブラケットの周方向両側に隣接する位置に、前記サポートリングの下側から半径方向外側に突出するように前記サポートリングに固設された２つの耐震ブロックとを備え、前記耐震ブロックは、前記支持ブラケットの上面位置における水平方向のせん断面積を増加させる補強部材を備えたものとする。
【発明の効果】
【００１０】
蒸気乾燥器のサポートリングの耐震ブロックを容易に補強することができるので、補強作業に伴う工数の増加を抑制することができる。
【図面の簡単な説明】
【００１１】
【図１】第１の実施の形態に係る補強部材を備えた耐震ブロックの構成を一部の周辺構成とともに抜き出して示す図である。
【図２】第１の実施の形態の変形例に係る補強部材を備えた耐震ブロックの構成を一部の周辺構成とともに抜き出して示す図である。
【図３】第１の実施の形態の変形例に係る補強部材を備えた耐震ブロックの構成を一部の周辺構成とともに抜き出して示す図である。
【図４】第１の実施の形態の変形例に係る補強部材を備えた耐震ブロックの構成を一部の周辺構成とともに抜き出して示す図である。
【図５】第１の実施の形態の変形例に係る補強部材を備えた耐震ブロックの構成を一部の周辺構成とともに抜き出して示す図である。
【図６】第２の実施の形態に係る補強部材を備えた耐震ブロックの構成を一部の周辺構成とともに抜き出して示す図である。
【図７】第３の実施の形態に係る補強部材を備えた耐震ブロックの構成を一部の周辺構成とともに抜き出して示す図である。
【図８】第４の実施の形態に係る補強部材を備えた耐震ブロックの構成を一部の周辺構成とともに抜き出して示す図である。
【図９】第５の実施の形態に係る補強部材を備えた耐震ブロックの構成を一部の周辺構成とともに抜き出して示す図である。
【図１０】本発明の実施の形態に係る耐震ブロックの基本構成を一部の周辺構成とともに抜き出して示す図である。
【図１１】本発明の実施の形態に係る沸騰水型原子炉の構成を概略的に示す縦断面図である。
【発明を実施するための形態】
【００１２】
以下、本発明の実施の形態を図面を参照しつつ説明する。
【００１３】
＜第１の実施の形態＞
本発明の第１の実施の形態を図１、図１０、及び図１１を参照しつつ説明する。
【００１４】
図１１は、本実施の形態に係る沸騰水型原子炉の構成を概略的に示す縦断面図である。
【００１５】
図１１において、沸騰水型原子炉１は、原子炉圧力容器２、炉心４、炉心シュラウド６、気水分離器１４及び蒸気乾燥器１５を備えている。
【００１６】
原子炉圧力容器２の上端には、上蓋３が取り外し可能に取り付けられており、原子炉圧力容器２の内部には、炉心４、炉心シュラウド６、気水分離器１４及び蒸気乾燥器１５が配置されている。
【００１７】
炉心シュラウド６は、複数の燃料集合体５が装荷された炉心４を取り囲んで配置されており、炉心支持板７が炉心４の下端部に炉心シュラウド６に取り付けられて配置されている。炉心４の上端部には炉心シュラウド６に取り付けられた上部格子板８が配置されており、この上部格子板８によってそれぞれの燃料集合体５の上端部が支持される。原子炉圧力容器２の底部には、複数の制御棒駆動機構ハウジング１３が設けられている。燃料集合体５の相互間に出し入れされる複数の制御棒１１は、各制御棒駆動機構ハウジング１３内に設置された制御棒駆動機構（図示せず）にそれぞれ連結されている。原子炉圧力容器２内の炉心４の下方には複数の制御棒案内管１２が設置されており、炉心４から引き抜かれた制御棒１１が制御棒案内管１２内に収納される。
【００１８】
原子炉圧力容器２と炉心シュラウド６の間に形成される環状領域であるダウンカマ内には複数のジェットポンプ９が配置されている。炉心シュラウド６の上端にはシュラウドヘッド１０が取り付けられており、シュラウドヘッド１０の上方には気水分離器１４が取り付けられる。気水分離器１４の上方には蒸気乾燥器１５が配置されている。
【００１９】
蒸気乾燥器１５は、並列に配置された複数の蒸気乾燥器ユニット（図示せず）、サポートリング１６及び円筒状のスカート部１７を有している。サポートリング１６は、蒸気乾燥器１５に取り付けられて蒸気乾燥器１５の荷重を支持するものであり、蒸気乾燥器１５の下方に蒸気乾燥器１５を囲むように配置されている。原子炉圧力容器２の内周面には、複数の支持ブラケット１９が水平方向に並べて設置されており、サポートリング１６を下方から支持することによって蒸気乾燥器１５を支持している。スカート部１７の上端はサポートリング１６に取り付けられており、サポートリング１６から下方に向かって延在するように配置されている。
【００２０】
図１０は、本実施の形態に係る耐震ブロックの基本構成を一部の周辺構成とともに抜き出して示す図である。
【００２１】
図１０では、支持ブラケット１９によってサポートリング１６が下方から支持されている様子を示している。また、支持ブラケット１９の図１０における手前側端部は原子炉圧力容器２の内周面に固設されているが、図１０では断面１９ａより原子炉圧力容器２側の部分については図示を省略する。
【００２２】
図１０に示すように、サポートリング１６は、蒸気乾燥器１５の外周面に水平方向に延在するように固設されており、サポートリング１６の下方にはスカート部１７が配置されている。サポートリング１６を支持する各支持ブラケット１９の周方向両側に隣接する位置には、サポートリング１６の支持ブラケット１９に対する移動を抑制する耐震ブロック１８が設けられている。耐震ブロック１８は、サポートリング１６の下側に溶接部１８ａによって固設されており、サポートリング１６の半径方向外側に突出するように配置されている。つまり、サポートリング１６の側面と耐震ブロック１８の突出部分とによって、半径方向外側に向かって開放された切り欠き構造が形成されている。
【００２３】
本実施の形態に係る補強部材２０は、このような基本構成の耐震ブロック１８に適用される。
【００２４】
図１は、本実施の形態に係る補強部材を備えた耐震ブロックの構成を一部の周辺構成とともに抜き出して示す図である。
【００２５】
図１において、補強部材２０は、サポートリング１６の側面に溶接部２０ａにより固設されており、サポートリング１６の側面から支持ブラケット１９の両側面（サポートリング１６における周方向の両側面）の位置まで延在するように一体的に形成されている。すなわち、本実施の形態の補強部材２０は、サポートリング１６への溶接のみによって容易に設置することが可能である。
【００２６】
補強部材２０は、支持ブラケット１９の上面位置における耐震ブロック１８の水平方向のせん断面積を増加させるように設置されている。すなわち、耐震ブロック１８のせん断面積（サポートリング１６と耐震ブロック１８との接合部の面積）は、補強部材２０のせん断面積の分だけ増加される。また、蒸気乾燥器１５に作用する水平方向の力のサポートリング１６から支持ブラケット１９への伝達経路は、サポートリング１６から耐震ブロック１８を経て支持ブラケット１９に伝達される経路の他に、サポートリング１６から補強部材２０を経て支持ブラケット１９に伝達される経路が加わる。
【００２７】
以上のように構成した本実施の形態の効果を説明する。
【００２８】
耐震強度向上の要求に応えて沸騰水型原子炉におけるサポートリングの耐震ブロックに関する作業を行う場合、運転を経験した原子炉圧力容器内に設けられた蒸気乾燥器は放射化しており作業者が大気中で蒸気乾燥器に接近して作業を行うことは出来ないため、原子炉圧力容器内から取り出した蒸気乾燥器を水を張った機器仮置きプール内に沈めて水中で作業をする必要がある。したがって、サポートリングに設けられている耐震ブロックの取り外しを伴う交換作業や、サポートリングの加工作業のような複雑で大掛かりな作業を行う必要がある場合には、それらの作業を水中で行うことになり、作業工数の増加を招くという問題がある。また、水中で作業を行う場合であっても、放射化した蒸気乾燥器の近くで作業者が長時間の作業を行うことは困難であり、作業工数のさらなる増加が懸念される。
【００２９】
これに対して本実施の形態においては、蒸気乾燥器１５の外周面に水平方向に延在するように固設され、蒸気乾燥器１５を内包する原子炉圧力容器の内周面に水平方向に複数並べて設置された支持ブラケット１９によって下方から支持されるサポートリング１６と、サポートリング１６を支持した状態における支持ブラケット１９の周方向両側に隣接する位置に、サポートリング１６の下側から半径方向外側に突出するようにサポートリングに固設された２つの耐震ブロック１８を設けた原子炉圧力容器２の蒸気乾燥器１５において、支持ブラケット１９の上面位置における水平方向のせん断面積を増加させる補強部材２０を備えるように構成したので、蒸気乾燥器１５のサポートリング１６の耐震ブロック１８を容易に補強して剛性を向上することができ、容易に耐震性を向上することができる。
【００３０】
なお、本実施の形態においては、図２〜図５に示すような種々の変更が可能である。図２〜図５に示す変形例においては、補強部材のサポートリング１６への固設方法が異なる場合を示している。
【００３１】
図２〜図５は、それぞれ、本実施の形態の変形例に係る補強部材を備えた耐震ブロックの構成を一部の周辺構成とともに抜き出して示す図である。
【００３２】
図２において、補強部材３０は、サポートリング１６の側面にボルト３０ａにより固設されており、サポートリング１６の側面から支持ブラケット１９の両側面の位置まで延在するように一体的に形成されている。すなわち、本変形例の補強部材３０は、サポートリング１６の側面へのボルト３０ａによる締結のみによって容易に設置することが可能である。
【００３３】
また、図３において、補強部材４０は、サポートリング１６の側面に溶接部４０ａ及びボルト４０ｂにより固設されており、サポートリング１６の側面から支持ブラケット１９の両側面の位置まで延在するように一体的に形成されている。すなわち、本変形例の補強部材４０は、サポートリング１６の側面への溶接およびボルト４０ｂによる締結によって容易に設置することが可能であり、図２に示した場合に比べて補強部材４０をサポートリング１６に強固に固設することができ、耐震性をさらに向上することができる。
【００３４】
また、図４において、補強部材５０は、サポートリング１６の側面に溶接部５０ａ及びボルト５０ｂにより固設されており、サポートリング１６の側面から支持ブラケット１９の両側面の位置まで延在するように一体的に形成されて耐震ブロック１８の半径方向外側端面に溶接部５０ｃによってさらに固設されている。すなわち、本変形例の補強部材５０は、サポートリング１６および耐震ブロック１８への溶接と、ボルト５０ｂによる締結とによって容易に設置することが可能であり、図３に示した場合に比べて補強部材５０をサポートリング１６にさらに強固に固設することができ、耐震性をさらに向上することができる。
【００３５】
また、図５において、補強部材６０は、サポートリング１６の側面に溶接部６０ａ及びボルト６０ｂにより固設されており、サポートリング１６の側面から支持ブラケット１９の両側面の位置まで延在するように一体的に形成されて耐震ブロック１８の半径方向外側端面にボルト６０ｃの締結によってさらに固設されている。すなわち、本変形例の補強部材６０は、サポートリング１６への溶接と、ボルト６０ｂ，６０ｃによるサポートリング１６及び耐震ブロック１８への締結とによって容易に設置することが可能であり、図３に示した場合に比べて補強部材６０をサポートリング１６にさらに強固に固設することができ、耐震性をさらに向上することができる。
【００３６】
＜第２の実施の形態＞
本発明の第２の実施の形態を図６を参照しつつ説明する。
【００３７】
本実施の形態は、サポートリングの側面から耐震ブロックの側面の位置まで延在するように一体的に形成された補強部材を用いるものである。
【００３８】
図６は、本実施の形態に係る補強部材を備えた耐震ブロックの構成を一部の周辺構成とともに抜き出して示す図である。図中、第１の実施の形態と同様の部材には同じ符号を付し、説明を省略する。
【００３９】
図６において、補強部材７０は、サポートリング１６の側面に溶接部７０ａにより固設されており、サポートリング１６の側面から２つの耐震ブロック１８のそれぞれの側面（サポートリング１６における周方向の支持ブラケット１９と隣接する面とは反対の側面）の位置まで延在するように一体的に形成されている。すなわち、本実施の形態の補強部材７０は、サポートリング１６への溶接のみによって容易に設置することが可能である。
【００４０】
補強部材７０は、支持ブラケット１９の上面位置における耐震ブロック１８の水平方向のせん断面積を増加させるように設置されている。すなわち、耐震ブロック１８のせん断面積（サポートリング１６と耐震ブロック１８との接合部の面積）は、補強部材７０のせん断面積の分だけ増加される。また、蒸気乾燥器１５に作用する水平方向の力のサポートリング１６から支持ブラケット１９への伝達経路は、サポートリング１６から耐震ブロック１８を経て支持ブラケット１９に伝達される経路の他に、サポートリング１６から補強部材７０および耐震ブロック１８を経て支持ブラケット１９に伝達される経路が加わる。
【００４１】
その他の構成は第１の実施の形態と同様である。
【００４２】
以上のように構成した本実施の形態においても第１の実施の形態と同様の効果を得ることができる。
【００４３】
また、補強部材７０は、耐震ブロック１８の半径方向外側ではなく、２つの耐震ブロック１８のそれぞれの側面に位置するので、耐震ブロック１８と原子炉圧力容器２の内壁間の距離が短い場合でも、取り付けることが可能である。
【００４４】
＜第３の実施の形態＞
本発明の第３の実施の形態を図７を参照しつつ説明する。
【００４５】
本実施の形態は、サポートリングの下側において耐震ブロックの側面に隣接する位置に個別に配置された補強部材を用いるものである。
【００４６】
図７は、本実施の形態に係る補強部材を備えた耐震ブロックの構成を一部の周辺構成とともに抜き出して示す図である。図中、第１の実施の形態と同様の部材には同じ符号を付し、説明を省略する。
【００４７】
図７において、補強部材８０は、各耐震ブロック１８のサポートリング１６における周方向の支持ブラケット１９とは反対の側面に隣接する位置に配置されている。各補強部材８０は、それぞれ、サポートリング１６の下側に溶接部８０ａによって固設されており、サポートリング１６の半径方向外側に突出するように配置されている。すなわち、本実施の形態の補強部材８０は、サポートリング１６への溶接のみによって容易に設置することが可能である。
【００４８】
補強部材８０は、支持ブラケット１９の上面位置における耐震ブロック１８の水平方向のせん断面積を増加させるように設置されている。すなわち、耐震ブロック１８のせん断面積（サポートリング１６と耐震ブロック１８との接合部の面積）は、補強部材８０のせん断面積の分だけ増加される。また、蒸気乾燥器１５に作用する水平方向の力のサポートリング１６から支持ブラケット１９への伝達経路は、サポートリング１６から耐震ブロック１８を経て支持ブラケット１９に伝達される経路の他に、サポートリング１６から補強部材８０および耐震ブロック１８を経て支持ブラケット１９に伝達される経路が加わる。
【００４９】
その他の構成は第１の実施の形態と同様である。
【００５０】
以上のように構成した本実施の形態においても第１の実施の形態と同様の効果を得ることができる。
【００５１】
＜第４の実施の形態＞
本発明の第４の実施の形態を図８を参照しつつ説明する。
【００５２】
本実施の形態は、サポートリングの側面から耐震ブロックの側面に隣接する位置まで延在するように個別に配置された補強部材を用いるものである。
【００５３】
図８は、本実施の形態に係る補強部材を備えた耐震ブロックの構成を一部の周辺構成とともに抜き出して示す図である。図中、第１の実施の形態と同様の部材には同じ符号を付し、説明を省略する。
【００５４】
図８において、補強部材９０は、各耐震ブロック１８のサポートリング１６における周方向の支持ブラケット１９とは反対の側面に隣接する位置に配置されている。各補強部材９０は、それぞれ、サポートリング１６の側面に溶接部９０ａにより固設されており、サポートリング１６の側面から２つの耐震ブロック１８のそれぞれの側面（サポートリング１６における周方向の支持ブラケット１９と隣接する面とは反対の側面）の位置まで延在するように形成されている。すなわち、本実施の形態の補強部材９０は、サポートリング１６への溶接のみによって容易に設置することが可能である。
【００５５】
補強部材９０は、支持ブラケット１９の上面位置における耐震ブロック１８の水平方向のせん断面積を増加させるように設置されている。すなわち、耐震ブロック１８のせん断面積（サポートリング１６と耐震ブロック１８との接合部の面積）は、補強部材９０のせん断面積の分だけ増加される。また、蒸気乾燥器１５に作用する水平方向の力のサポートリング１６から支持ブラケット１９への伝達経路は、サポートリング１６から耐震ブロック１８を経て支持ブラケット１９に伝達される経路の他に、サポートリング１６から補強部材９０および耐震ブロック１８を経て支持ブラケット１９に伝達される経路が加わる。
【００５６】
その他の構成は第１の実施の形態と同様である。
【００５７】
以上のように構成した本実施の形態においても第１の実施の形態と同様の効果を得ることができる。
【００５８】
＜第５の実施の形態＞
本発明の第５の実施の形態を図９を参照しつつ説明する。
【００５９】
本実施の形態は、サポートリングの側面から耐震ブロックの側面に隣接する位置まで延在するように個別に配置された補強部材を用いるものである。
【００６０】
図９は、本実施の形態に係る補強部材を備えた耐震ブロックの構成を一部の周辺構成とともに抜き出して示す図である。図中、第１の実施の形態と同様の部材には同じ符号を付し、説明を省略する。
【００６１】
図９において、補強部材１００は、２つの耐震ブロック１８の上面間に跨って延在するように配置され、サポートリング１６の側面および２つの耐震ブロック１８の上面とそれぞれ溶接部１００ａ，１００ｂにより固設されている。すなわち、本実施の形態の補強部材１００は、サポートリング１６及び耐震ブロック１８への溶接のみによって容易に設置することが可能である。
【００６２】
補強部材１００は、支持ブラケット１９の上面位置における耐震ブロック１８の水平方向のせん断面積を増加させるように設置されている。すなわち、耐震ブロック１８のせん断面積（サポートリング１６と耐震ブロック１８との接合部の面積）は、補強部材１００のせん断面積（補強部材１００と耐震ブロック１８との接合部の面積）の分だけ増加される。また、蒸気乾燥器１５に作用する水平方向の力のサポートリング１６から支持ブラケット１９への伝達経路は、サポートリング１６から耐震ブロック１８を経て支持ブラケット１９に伝達される経路の他に、サポートリング１６から補強部材１００及び耐震ブロック１８を経て支持ブラケット１９に伝達される経路が加わる。
【００６３】
その他の構成は第１の実施の形態と同様である。
【００６４】
以上のように構成した本実施の形態においても第１の実施の形態と同様の効果を得ることができる。
【００６５】
また、補強部材１００は、耐震ブロック１８とサポートリング１６のせん断面積のみを増加させることで、蒸気乾燥器１５の耐震性向上を図るものであるため、補強部材１００自体の構造による剛性を検討する必要がないため、補強部材の設計を容易に行うことができる。
【００６６】
なお、本発明は上記した各実施の形態及び実施例に限定されるものではなく、様々な変形例が含まれる。例えば、上記した実施の形態及び実施例は本発明を分かりやすく説明するために詳細に説明したものであり、必ずしも説明した全ての構成を備えるものに限定されるものではない。
【符号の説明】
【００６７】
１  沸騰水型原子炉
２  原子炉圧力容器
３  上蓋
４  炉心
５  燃料集合体
６  炉心シュラウド
７  炉心支持板
８  上部格子板
９  ジェットポンプ
１０  シュラウドヘッド
１１  制御棒
１２  制御棒案内管
１３  制御棒駆動機構ハウジング
１４  気水分離器
１５  蒸気乾燥器
１６  サポートリング
１７  スカート部
１８  耐震ブロック
１８ａ  溶接部
１９  支持ブラケット
１９ａ  断面
２０，３０，４０，５０，６０，７０，８０，９０，１００  補強部材
２０ａ  溶接部
３０ａ，４０ｂ，５０ｂ，６０ｂ，６０ｃ  ボルト
４０ａ，５０ａ，５０ｃ，６０ａ，７０ａ，８０ａ，９０ａ，１００ａ，１００ｂ  溶接部
【図１】
0006467356.tif 000002
【図２】
0006467356.tif 000003
【図３】
0006467356.tif 000004
【図４】
0006467356.tif 000005
【図５】
0006467356.tif 000006
【図６】
0006467356.tif 000007
【図７】
0006467356.tif 000008
【図８】
0006467356.tif 000009
【図９】
0006467356.tif 000010
【図１０】
0006467356.tif 000011
【図１１】
0006467356.tif 000012